(57)【特許請求の範囲】
【請求項１】
電気的な駆動、および外部からの機械的操作による駆動が可能な、一次電源側の電路を開閉する一次電源開閉部と、この一次電源開閉部の負荷側に接続された電源回路部と、リモコン送信機から発せられる遠隔制御信号を受信してコード信号に再生する受信部と、この受信部から出力されるコード信号を解読判定し、このコード信号が前記一次電源開閉部を開閉制御するためのコード信号である時に一次電源開閉部を電気的に駆動して開閉制御する制御部と、前記電源回路部により充放電制御部を介して充電され、前記一次電源開閉部が開である時に一定時間の間、前記受信部と前記制御部および前記一次電源開閉部を駆動する電力を供給する蓄電部からなり、前記受信部が、微小電力で動作して前記リモコン送信機から発せられる遠隔制御信号を検知する検知部と、この検知部が遠隔制御信号を検知した時に遠隔制御信号を受信してコード信号に再生する復調部に電力が供給されると共に、前記蓄電部が所定電力量を保持している時に第一の表示を行ない、所定電力量より少ない時に第二の表示を行なうかあるいは表示を行なわない表示部を設けた電源制御装置。
【請求項２】
一次電源開閉部が、押圧により接触し、押圧を除去した時に自己弾性復帰力により離間するスイッチ接点と、このスイッチ接点を接離させる駆動部と、この駆動部を動作させる電磁式プランジャを備えた請求項１記載の電源制御装置。
【請求項３】
一次電源開閉部が駆動部を動作させる操作体を有し、この操作体から延長された操作部を外方へ付勢して突出させた請求項２記載の電源制御装置。
【請求項４】
一次電源開閉部の操作部が外力により操作され、駆動部が動作してスイッチ接点を接離させると共に、外力が除去された時に操作体が移動後の位置で機械的に保持され、再度外力により操作されて保持が解除されるラッチ機構を備えた請求項３記載の電源制御装置。
【請求項５】
一次電源開閉部の操作部が外力により操作されて操作体が移動し、外力が除去された時、もとの位置に復帰するように構成されると共に、駆動部が、操作体の移動・復帰の一サイクル毎または電磁式プランジャによる駆動毎にスイッチ接点を交互に接触状態または離間状態に保持するラッチ機構を備えた請求項３記載の電源制御装置。
【発明の詳細な説明】
【０００１】
【発明の属する技術分野】
本発明は、リモートコントロール送信機で遠隔制御される映像・音響機器、空調機器などの電子機器に用いられる電源制御装置に関するものである。
【０００２】
【従来の技術】
従来の電子機器の電源制御装置について、図面を用いて説明する。
【０００３】
図４は従来の赤外線などを用いたリモートコントロール送信機（以下リモコン送信機と言う）によって遠隔制御される電子機器の電源制御装置のブロック図であり、１は家庭などのコンセントに接続される電源プラグ、２は電源コードを介して電源プラグ１に接続された一次電源開閉部、３は一次電源開閉部２の負荷側に接続され、交流電源入力を直流電源出力に変換する電源回路部、４は遠隔制御信号を受信してコード信号に変換する受信部、５は受信部４から出力されるコード信号を解読判定して制御信号を出力する制御部、６は制御部５からの制御信号によって駆動される主回路電源開閉部、７は電源回路部３の直流電源出力を取出す二次側配線で、受信部４、制御部５に電力を供給するように接続されると共に、主回路電源開閉部６の一端に接続されて電源制御装置１０が構成されている。
【０００４】
なお、８は主回路電源開閉部６の他端に接続された電子機器の主回路、９は電子機器を遠隔制御するための遠隔制御信号を送信するリモコン送信機である。
【０００５】
このように構成された電子機器の電源制御装置１０の動作について説明すると、まず、図４の状態において、一次電源開閉部２を閉にすると電源回路部３が通電されて受信部４および制御部５に電力が供給されると共に、電子機器内に設定された所定の制御により主回路電源開閉部６も閉となり、主回路８へ電力が供給されて電子機器が放送電波の受信などの動作を行なうようになっている。
【０００６】
さらに、この状態でリモコン送信機９を操作して選局や音量調整などの遠隔制御信号を送信すると、受信部４が受信し、コード信号に変換して矢印で示すように制御部５へ送り、制御部５が所望の動作に対応した制御信号を出力して電子機器を動作させるものであった。
【０００７】
そして、次に使用者が電子機器の使用を停止する時には、通常の方法としてリモコン送信機９の電源オフに対応したキーを操作して電子機器の動作を停止し、再度電子機器を使用する時には電源オンのキーを操作して電子機器を動作させるものであった。
【０００８】
【発明が解決しようとする課題】
しかしながら上記従来の電子機器の電源制御装置１０においては、通常の使用方法として電子機器を使用しない時にリモコン送信機９を操作して電源オフにした場合には主回路電源開閉部６を開にして主回路８への電力供給を停止するが、次に使用する時にリモコン送信機９を操作して電源オンにするために、常に一次電源開閉部２を閉状態に保って受信部４および制御部５に通電しておく必要があり、このため電源回路部３には一次電源側から常に所定の電力が供給されて、いわゆる待機電力が消費され、エネルギー消費の削減に制限があった。
【０００９】
本発明は、このような従来の課題を解決するものであり、電子機器を使用しない時に一次電源側から電力を供給する必要がなく、待機電力の消費をなくすることができると共に、一次電源側から電力を供給しない状態でもリモコン送信機による遠隔制御で一次電源開閉部を閉にして電子機器を動作させることができる電源制御装置を提供することを目的とする。
【００１０】
【課題を解決するための手段】
上記課題を解決するために本発明の電源制御装置は、一次電源側の電路を開閉する一次電源開閉部を、電気的な駆動および外部からの機械的操作による駆動が可能なものとし、一次電源開閉部が閉の間に充電される蓄電部を設けることにより、一次電源開閉部が開の時にこの蓄電部が遠隔制御信号を受信する受信部と解読判定する制御部に電力を供給すると共に、受信した遠隔制御信号が一次電源開閉部を動作させる信号の時に蓄電部の電力で一次電源開閉部を電気的に駆動するものであり、また、長期の間、一次電源開閉部が開状態であったために蓄電部の電力量が一次電源開閉部の駆動に不十分な場合には一次電源開閉部を外部から操作して駆動できるように構成するものである。
【００１１】
これにより、電子機器を使用しない時にリモコン送信機の操作、あるいは手動操作により一次電源開閉部を開にし、一次電源側から電力を供給しない状態でもリモコン送信機による遠隔制御で一次電源開閉部を閉にして電子機器を使用することができるため、待機電力消費のない電子機器の電源制御装置を実現することができる。
【００１２】
【発明の実施の形態】
本発明の請求項１に記載の発明は、電気的な駆動、および外部からの機械的操作による駆動が可能な、一次電源側の電路を開閉する一次電源開閉部と、この一次電源開閉部の負荷側に接続された電源回路部と、リモコン送信機から発せられる遠隔制御信号を受信してコード信号に再生する受信部と、この受信部から出力されるコード信号を解読判定し、このコード信号が前記一次電源開閉部を開閉制御するためのコード信号である時に一次電源開閉部を電気的に駆動して開閉制御する制御部と、前記電源回路部により充放電制御部を介して充電され、前記一次電源開閉部が開である時に一定時間の間、前記受信部と前記制御部および前記一次電源開閉部を駆動する電力を供給する蓄電部からなり、前記受信部が、微小電力で動作して前記リモコン送信機から発せられる遠隔制御信号を検知する検知部と、この検知部が遠隔制御信号を検知した時に遠隔制御信号を受信してコード信号に再生する復調部に電力が供給されると共に、前記蓄電部が所定電力量を保持している時に第一の表示を行ない、所定電力量より少ない時に第二の表示を行なうかあるいは表示を行なわない表示部を設けた電源制御装置としたものであり、電子機器を使用しない時の待機電力消費をなくすることができると共に、一定時間の間は一次電源側から電力を供給しない状態でもリモコン送信機による遠隔制御で電子機器の一次電源開閉部を閉にすることができる電源制御装置を実現することができるという作用を有する。
また、前記充放電制御部を用いたことにより、一次電源開閉部が閉のときの蓄電部への充電電流を所定の量に制御して蓄電部の劣化を抑えると共に、一次電源開閉部が開の時に電源回路部側への放電を防止することができ、前記検知部と復調部からなる受信部を用いたことにより、遠隔制御信号の待ち受け時には受信部の検知部のみに電力が供給されて復調部には供給されないため、遠隔制御信号の待ち受け時の受信部による電力消費を抑えて、蓄電部の電力の保持を長くすることができるという作用を有する。
さらに、前記表示部を用いたことにより、蓄電部の保持している電力量に応じた表示を行なうことができるため、受信部、および制御部への通電と共に、一次電源開閉部を電気的に駆動するための必要電力量を保持しているかどうかを容易に判別できて、一次電源開閉部が開の時にリモコン送信機による遠隔操作が可能か、手動による一次電源開閉部の操作が必要かを判断することができる使い勝手の優れた電源制御装置とすることができるという作用を有する。
【００１６】
請求項２に記載の発明は、請求項１記載の発明において、一次電源開閉部が、押圧により接触し、押圧を除去した時に自己弾性復帰力により離間するスイッチ接点と、このスイッチ接点を接離させる駆動部と、この駆動部を動作させる電磁式プランジャを備えたものであり、遠隔制御信号または他の電気信号により電磁式プランジャを動作させ、容易にスイッチ接点を接離させるように駆動することができるという作用を有する。
【００１７】
請求項３に記載の発明は、請求項２記載の発明において、一次電源開閉部が駆動部を動作させる操作体を有し、この操作体から延長された操作部を外方へ付勢して突出させたものであり、操作部を外方から操作して容易にスイッチ接点を接離させることができるという作用を有する。
【００１８】
請求項４に記載の発明は、請求項３に記載の発明において、一次電源開閉部の操作部が外力により操作され、駆動部が動作してスイッチ接点を接離させると共に、外力が除去された時に操作体が移動後の位置で機械的に保持され、再度外力により操作されて保持が解除されるラッチ機構を備えたものであり、操作体がラッチ機構を有しているため、操作部の操作によるスイッチ接点の開または閉の状態を機械的に確実に維持することができるという作用を有する。
【００１９】
請求項５に記載の発明は、請求項３記載の発明において、一次電源開閉部の操作部が外力により操作されて操作体が移動し、外力が除去された時、もとの位置に復帰するように構成されると共に、駆動部が、操作体の移動・復帰の一サイクル毎または電磁式プランジャによる駆動毎にスイッチ接点を交互に接触状態または離間状態に保持するラッチ機構を備えたものであり、駆動部がラッチ機構を有しているため、操作体の移動・復帰の一サイクル毎または電磁式プランジャによる駆動毎にスイッチ接点の開または閉の状態を機械的に確実に維持することができると共に、駆動部が、ばね体で付勢された操作体と別体であるので駆動部を動作させるための電磁式プランジャの駆動力を小さなものとすることができるという作用を有する。
【００２０】
以下、本発明の実施の形態について図面を用いて説明する。
【００２１】
（実施の形態１）
図１は本発明の第１の実施の形態による電源制御装置のブロック図であり、同図において１１は家庭などのコンセントに接続される電源プラグ、１２は電源コードを介して電源プラグ１１に接続され、電気的な駆動および外部からの機械的操作により動作する一次電源開閉部、１３は一次電源開閉部１２の負荷側に接続され、交流電源入力を直流電源出力に変換する電源回路部、１４は電源回路部１３の直流電源出力を取出す二次側配線、１５は二次側配線に接続された充放電制御部、１６は充放電制御部１５の出力側に接続され、電源回路部１３の直流電源出力により充電される蓄電部、１７は蓄電部１６の電圧が所定電圧値以上である時に表示を行なって蓄電部１６の保持する電力量を示す表示部である。
【００２２】
そして、１８は遠隔制御信号を受信してコード信号に変換する受信部、１９は受信部１８から出力されるコード信号を解読判定して制御信号を出力する制御部であり、この受信部１８および制御部１９も蓄電部１６と同様に充放電制御部１５の出力側から電力が供給されるように接続され、制御部１９の制御出力により一次電源開閉部１２を電気的に駆動することが可能となっている。
【００２３】
なお、２０は二次側配線１４を介して電源回路部１３に接続された電子機器の主回路、２１は電子機器とは別体のリモコン送信機で、電子機器の所望の動作に対応した遠隔制御信号を送信させることによって上記受信部１８が受信し、制御部１９が制御信号を出力して電子機器の動作制御を可能なものとしている。
【００２４】
次にこのように構成された電源制御装置２２の動作について説明すると、まず図１の一次電源開閉部１２が開の状態から矢印Ａで示すように、手動による機械的操作を行なって閉にすると、電源回路部１３が交流電源入力を直流電源出力に変換し、二次側配線１４を介して電子機器の主回路２０へ直流電力を供給すると共に、二次側配線１４に接続された充放電制御部１５を介して蓄電部１６、受信部１８、および制御部１９へ直流電力を供給する。
【００２５】
そして、受信部１８および制御部１９が動作状態となると共に、蓄電部１６は充放電制御部１５によって充電電流量を適切に制御されながら所定の電力を蓄積するまで充電され、所定電力量に達すると充電が停止される。
【００２６】
また、蓄電部１６に接続された表示部１７は蓄電部１６の電圧が所定値に達した時点で所定の表示を行ない、使用者が蓄電部１６の充電状況を容易に判別できるようになっている。
【００２７】
一方、電子機器の主回路２０は通常の方式として一次電源開閉部１２が閉になった時に動作するように設定されているものであり、放送電波の受信やリモコン送信機２１の操作による選局、音量調整などの所望の動作を行なわせることができる。
【００２８】
次に、上記のようにして動作していた電子機器の使用を停止する時には、再び手動操作によって一次電源開閉部１２を開にするか、リモコン送信機２１の電源オフのキーを操作して一次電源開閉部１２を開にさせる遠隔制御信号を送信させ、制御部１９からの制御出力によって一次電源開閉部１２を電気的に駆動させて開にすると、電源回路部１３からの直流電源出力が停止して主回路２０および充放電制御部１５への直流電力の供給が停止され、使用者は電子機器の使用を停止することができる。
【００２９】
一方、蓄電部１６には電子機器の使用中の充電により所定の電力量が蓄積されており、一次電源開閉部１２が開である時に充放電制御部１５により電源回路部１３および主回路２０側へ放電することが防がれると共に、この蓄電部１６の電力が、受信部１８および制御部１９へ供給されて受信部１８、制御部１９を常に動作状態にし、表示部１７は蓄電部１６の電圧が所定電圧値以上である間は表示を行なっている。
【００３０】
次に、使用者が電子機器を再び使用しようとする時に、リモコン送信機２１の電源オンのキーを操作して一次電源開閉部１２を閉にさせる遠隔制御信号を送信させると、受信部１８が遠隔制御信号を受信してコード信号に変換し、このコード信号を制御部１９が解読判定して一次電源開閉部１２に制御出力を供給するように動作し、一次電源開閉部１２を電気的に駆動するための電力が蓄電部１６から制御部１９を介して一次電源開閉部１２へ供給されて一次電源開閉部１２が閉となり、電子機器に再び所望の動作をさせることができるものである。
【００３１】
また、一次電源開閉部１２が閉になると再び蓄電部１６が充電されることは勿論であり、この蓄電部１６には、電子機器がある程度の期間使用されずに一次電源開閉部１２が開のままであっても、受信部１８、制御部１９の動作、および一次電源開閉部１２の一回分の電気的駆動に十分な電力量を蓄積するものを用い、通常の使用方法であるリモコン送信機２１による電子機器の遠隔制御に支障のないものとなっている。
【００３２】
そして、電子機器が長期間使用されずに蓄電部１６の保持する電力量が少なくなった場合には、表示部１７の表示が消えるので使用者がリモコン送信機２１による遠隔制御が困難であることを容易に判断でき、一次電源開閉部１２を手動操作することにより、電子機器を動作させると共に蓄電部１６を充電して再度通常のリモコン送信機２１による遠隔操作に復帰させることができるものとなっている。
【００３３】
以上のように本実施の形態によれば、電子機器を使用しない時にリモコン送信機２１の操作、あるいは手動操作により一次電源開閉部１２を開にし、一次電源側から電力を供給しない状態でもリモコン送信機２１による遠隔制御で一次電源開閉部１２を閉にして電子機器を使用することができるため、待機電力消費のない電子機器の電源制御装置２２を実現できるものであると共に、蓄電部１６の保持している電力量に応じた表示を行なうことができるため、受信部１８、および制御部１９への通電と共に、一次電源開閉部１２を電気的に駆動するための必要電力量を保持しているかどうかを容易に判別できて、一次電源開閉部１２が開の時にリモコン送信機２１による遠隔操作が可能か、手動による一次電源開閉部の操作が必要かを判断することができる使い勝手の優れた電源制御装置２２とすることができるものである。
【００３４】
なお、上記の説明では、受信部１８を遠隔制御信号を受信してコード信号に変換する機能を有するものとして説明したが、受信部に、微小電力で動作して遠隔制御信号を検知する検知部（図示せず）と、遠隔制御信号を受信してコード信号に変換する復調部（図示せず）を設け、検知部の出力信号に制御されて復調部に電力が供給されるように構成することによって、遠隔制御信号の待ち受け時の受信部の消費電力を検知部での微小な動作電力のみとして受信部の消費電力を抑え、一次電源開閉部１２が開の時の蓄電部１６の電力の保持を長くすることができて、電子機器を使用しない期間が長くなってもリモコン送信機２１による遠隔操作で電源オンとすることを可能とすることができる。
【００３５】
（実施の形態２）
図２は本発明の第２の実施の形態による電源制御装置のブロック図であり、実施の形態１によるものに対して一次電源開閉部の構成が異なっている。
【００３６】
すなわち、本実施の形態の場合の一次電源開閉部２５は、押圧により接触し、押圧を除去した時に自己弾性復帰力により離間するスイッチ接点２６と、このスイッチ接点２６を接離させるように駆動する駆動部２７と、この駆動部２７と一体で、ばね体２８により外方へ突出するように付勢された操作部２９を有する操作体３０と、この操作体３０の操作部２９がばね体２８の付勢力に抗した外力により押圧されて一次電源開閉部２５の内方へ移動し、外力を除去した時に操作体３０が移動後の位置で機械的に保持され、再度操作部２９が外力により押圧されると保持が解除されるように操作体３０に連結されたラッチ機構３１と、制御部１９の制御出力により駆動部２７および操作体３０を動作させる電磁式プランジャ３２を備えたものである。
【００３７】
次に、このように構成された電源制御装置３３の動作について説明すると、図２の状態から、一次電源開閉部２５の操作部２９をばね体２８の付勢力に抗して押圧すると、操作体３０と一体の駆動部２７が動作してスイッチ接点２６を接触させ、一次電源開閉部２５を閉として電子機器が電源オンとなる。
【００３８】
そして、押圧力を除くと、操作体３０はばね体２８の付勢力により外方へ復帰しようとするが、連結されたラッチ機構３１によって操作体３０は一次電源開閉部２５の内方へ移動した位置で保持され、スイッチ接点２６を接触したままの状態に保つようになっている。
【００３９】
このようにして電源オンとなった電子機器の電源回路部１３が直流電力を電子機器の主回路２０や、受信部１８、制御部１９に電力を供給すると共に、蓄電部１６を充電することは実施の形態１のものの場合と同様であるが、使用者が電子機器の使用を停止しようとする場合には、ラッチ機構３１によって保持されている操作体３０を外方へ復帰させるために操作部２９を押圧してラッチ機構３１の保持を解除するか、またはリモコン送信機２１を操作して電磁式プランジャ３２を動作させ、ラッチ機構３１を解除すると操作体３０が元の状態に復帰してスイッチ接点２６を離間させ、電子機器の動作を停止することができる。
【００４０】
そして、再度電子機器を使用しようとする時には、蓄電部１６が充電されているので、実施の形態１のものの場合と同様にリモコン送信機２１の電源オンのキーを操作することにより受信部１８、制御部１９が動作し、制御部１９の制御出力が供給された電磁式プランジャ３２がばね体２８の付勢力に抗して駆動部２７および操作体３０を移動させ、この駆動部２７がスイッチ接点２６を接触させるように駆動すると共に、操作体３０に連結されたラッチ機構３１が操作体３０を移動後の位置で保持してスイッチ接点２６を接触したままの状態に保つことができるものである。
【００４１】
また、電子機器を停止しようとする時にもリモコン送信機２１の電源オフのキーを操作すると、制御部１９の制御出力により電磁式プランジャ３２が上記と同様にスイッチ接点２６を離間させるように動作するものである。
【００４２】
本実施の形態によれば、自己弾性復帰力により離間するスイッチ接点２６と、スイッチ接点２６を接離させるように駆動する駆動部２７と、この駆動部２７と一体で、外方へ突出するように付勢された操作部２９を有する操作体３０と、制御部１９の制御出力により動作して駆動部２７および操作体３０を移動させる電磁式プランジャ３２を用いることにより、電気的な駆動、および外部からの機械的な操作による駆動が可能な一次電源開閉部２５を容易に構成できると共に、操作体３０を内方へ移動させた時に、ラッチ機構３１が操作体３０を移動後の位置で機械的に保持するため、スイッチ接点２６が接触した状態を機械的に確実に維持できる一次電源開閉部２５を有した電源制御装置３３を実現することができるものである。
【００４３】
（実施の形態３）
図３は本発明の第３の実施の形態による電源制御装置のブロック図であり、実施の形態２によるものに対して一次電源開閉部の構成が異なっている。
【００４４】
すなわち、本実施の形態の場合の一次電源開閉部３５は、押圧により接触し、押圧を除去した時に自己弾性復帰力により離間するスイッチ接点３６と、このスイッチ接点３６を接離させるように駆動する駆動部３７と、この駆動部３７と別体で、ばね体３８により外方へ突出するように付勢された操作部３９を有して外力による移動で駆動部３７を動作させ、外力が除去された時に元の位置に戻る自己復帰式の操作体４０と、駆動部３７に連結されたラッチ機構４１と、制御部１９の制御出力により駆動部３７を動作させる電磁式プランジャ４２を備えたものである。
【００４５】
次に、このように構成された電源制御装置４３の動作について説明すると、図３の状態から、一次電源開閉部３５の操作部３９をばね体３８の付勢力に抗して押圧すると、操作体４０の移動により駆動部３７が動作してスイッチ接点３６を接触させ、一次電源開閉部３５を閉として電子機器が電源オンとなる。
【００４６】
そして、押圧力を除くと、操作体４０はばね体３８の付勢力により外方へ復帰するが、駆動部３７は連結されたラッチ機構４１によってスイッチ接点３６を接触させた状態で保持されるようになっている。
【００４７】
このようにして電源オンとなった電子機器の電源回路部１３が直流電力を電子機器の主回路２０や、受信部１８、制御部１９に電力を供給すると共に、蓄電部１６を充電することは実施の形態１のものの場合と同様であるが、使用者が電子機器の使用を停止しようとする場合には、ラッチ機構４１によって保持されている駆動部３７を元の位置へ復帰させるために操作部３９を押圧してラッチ機構４１の保持を解除するか、またはリモコン送信機２１を操作して電磁式プランジャ４２を動作させ、ラッチ機構４１を解除すると駆動部３７が元の状態に復帰してスイッチ接点３６を離間させ、電子機器の動作を停止することができる。
【００４８】
そして、再度電子機器を使用しようとする時には、蓄電部１６が充電されているので、実施の形態１のものの場合と同様にリモコン送信機２１の電源オンのキーを操作することにより受信部１８、制御部１９が動作し、制御部１９の制御出力が供給された電磁式プランジャ４２が駆動部３７を動作させ、この駆動部３７がスイッチ接点３６を接触させるように駆動すると共に、連結されたラッチ機構４１が駆動部３７を移動後の位置で保持してスイッチ接点３６を接触したままの状態に保つことができるものである。
【００４９】
また、電子機器を停止しようとする時にもリモコン送信機２１の電源オフのキーを操作すると、制御部１９の制御出力により電磁式プランジャ４２が上記と同様にスイッチ接点３６を離間させるように動作するものである。
【００５０】
本実施の形態によれば、外方へ突出するように付勢された操作部３９を有する操作体４０を自己復帰式とし、駆動部３７を操作体４０と別体で、操作体４０の移動、または電磁式プランジャ４２の駆動により動作するものとすることにより、制御部１９の制御出力により動作して駆動部３７を駆動する電磁式プランジャ４２の駆動力を小さなものとすることができ、この電磁式プランジャ４２の駆動電力を小さくして蓄電部１６の容量を小さく安価なものとすることができるものである。
【００５１】
【発明の効果】
以上のように本発明によれば、電子機器の使用を停止するためにリモコン送信機の操作、あるいは手動操作により一次電源開閉部を開にした時、使用中に充電された蓄電部の電力が遠隔制御信号の受信部および制御部を動作状態に保つと共に、蓄電部から一次電源開閉部を電気的に駆動する電力を供給できるため、一次電源側から電力を供給しない状態でもリモコン送信機による遠隔制御で一次電源開閉部を閉にして電子機器を使用することができて、待機電力消費のない電子機器の電源制御装置を提供することができるという有利な効果が得られる。
【図面の簡単な説明】
【図１】本発明の第１の実施の形態による電源制御装置のブロック図
【図２】本発明の第２の実施の形態による電源制御装置のブロック図
【図３】本発明の第３の実施の形態による電源制御装置のブロック図
【図４】従来の電子機器の電源制御装置のブロック図
【符号の説明】
１１  電源プラグ
１２，２５，３５  一次電源開閉部
１３  電源回路部
１４  二次側配線
１５  充放電制御部
１６  蓄電部
１７  表示部
１８  受信部
１９  制御部
２０  主回路
２１  リモートコントロール送信機
２２，３３，４３  電源制御装置
２６，３６  スイッチ接点
２７，３７  駆動部
２８，３８  ばね体
２９，３９  操作部
３０，４０  操作体
３１，４１  ラッチ機構
３２，４２  電磁式プランジャ
【図１】
0003867440.tif 000002
【図２】
0003867440.tif 000003
【図３】
0003867440.tif 000004
【図４】
0003867440.tif 000005